(57)【特許請求の範囲】
【請求項１】
陰唇に挟んで着用する陰唇間パッドを二つに折り曲げた状態で包装するための個別包装容器であって、
シート体で構成されると共に開封口を有し、該開封口の近傍で前記シート体が重なり合っており、
前記陰唇間パッドは当該陰唇間パッドの輪郭を形成する周縁部を有し、
前記個別包装容器は収納される前記陰唇間パッドの前記周縁部よりも高い剛性を備えて前記周縁部を保護する保護領域を有するものであり、
前記陰唇間パッドの前記周縁部には、着用状態において着用者の前庭床と接触する前庭床当接領域を備えており、前記保護領域は、前記陰唇間パッドを内包した状態で少なくとも前記前庭床当接領域と接する箇所に設けられており、
前記保護領域は、前記シート体の一方の端部が折り返されて前記シート体における前記陰唇間パッドを挟んで前記開封口に対向する面まで延びるように形成されると共に、前記前庭床当接領域と接する箇所にエンボスパターンによるエンボス加工が設けられた前記シート体と、前記シート体が重なり合った部分で該シート体同士を接合するエンボスシールと、重なり合った前記シート体の間に設けられ該シート体同士を接着する接着剤と、により構成されると共に、前記エンボスシール及び前記接着剤は、前記個別包装容器の長手方向に連続して設けられている個別包装容器。
【請求項２】
前記シート体は、生分解性素材、水溶性素材または水分散性素材からなる水洗性の材料により構成される請求項１記載の個別包装容器。
【請求項３】
内部に空気が入った状態で完全密封されてなる請求項１または２記載の個別包装容器。
【請求項４】
前記保護領域の座屈強度は、１００ｍＮ以上２０００ｍＮ以下である請求項１から３いずれか記載の個別包装容器。
【請求項５】
請求項１から４いずれか記載の個別包装容器と当該個別包装容器に収納された陰唇間パッドとからなる個包装体であって、
前記陰唇間パッドは当該陰唇間パッドの輪郭を形成する周縁部を有し、
前記陰唇間パッドの前記周縁部の座屈強度は、５０ｍＮ以上４００ｍＮ以下である個包装体。
【請求項６】
請求項１から４いずれか記載の個別包装容器と当該個別包装容器に収納された陰唇間パッドとからなる個包装体、または、請求項５記載の個包装体、と、当該個包装体を複数収納する外包装容器と、からなる包装体であって、
前記外包装容器内には、前記個包装体を二つ以上収納して封入する小分け用の中間包装容器を備えるものである包装体。
【請求項７】
前記中間包装容器は、前記外包装容器の内壁との間に空隙を設けるように配置されているものである請求項６記載の包装体。
【請求項８】
前記中間包装容器は気密性素材からなり、前記個包装体を封入して気密封止したものである請求項６または７記載の包装体。
【発明の詳細な説明】
【技術分野】
【０００１】
本発明は、陰唇間パッドを包装するための陰唇間パッド用個別包装容器に関するものであり、さらに詳しくは、陰唇間パッドを包装する個別包装容器が、陰唇間パッドの汚損を防止するように工夫された個別包装容器に関する。
【背景技術】
【０００２】
従来より、女性の陰唇部に装着されて、経血を吸収する陰唇間パッドが知られている。このような陰唇間パッドは、生理用ナプキンに比べて身体により密着するため、経血が拡散されて身体に広く接することを防ぐので、衛生的、かつ清潔なものである。また、生理用ナプキンに比べて小型であるために、装着感に優れて快適であり、膣内に挿入するタンポンに比べて、装着時の心理抵抗も低いという特徴を有している。【０００３】
このような陰唇間パッドとして、図４２に示すような楕円形状の１枚の陰唇間パッド７１０がある。陰唇間パッド７１０は、長手方向に平行な線に沿って、ほぼ左右対称となるように二つ折りにされた略半円形状態で、薄いビニールシートで構成された個別包装容器７２０に包装されている（例えば、特許文献１または特許文献２）。【０００４】
特許文献１または特許文献２に記載されている陰唇間パッド７１０は、全体が個別包装容器７２０で覆われているため、使用前の陰唇間パッド７１０を汚損することなく携帯することができる。特に、個別包装容器７２０が液体を透過しないビニールシートで構成されているので、個別包装容器７２０をトイレの床に落としたような場合でも、内包される陰唇間パッド７１０の汚損を防止することができる。【０００５】
特許文献２に記載の陰唇間パッドは、表面側シートと裏面側シートとを有し、裏面側シートには半円状の把持部が設けられている。そして、裏面側シート同士が向かい合うように長手方向中心線を折り軸として２つに折られ、表面側シートが個別包装容器の内面と近接状態になるように個別包装容器内に収納されている。また、特許文献２に記載の個別包装容器は、内面と外面とを有し、内面同士が向き合うように縦方向軸上に折られ、３辺が接合され、１辺を再封止可能とした袋状のものである。これにより、着用者は、収納されている陰唇間パッドの把持部をもって、個別包装容器から陰唇間パッドを取り出すことができるので、陰唇間パッドの表面側シートを汚すことがない。また、使用済み陰唇間パッドを未使用の陰唇間パッドを取り出した個別包装容器内に収容し、個別包装容器を再封止することもできる。
【特許文献１】国際公開第０２／０９４１５１号パンフレット
【特許文献２】米国特許第６１３１７３６号
【発明の開示】
【発明が解決しようとする課題】
【０００６】
しかし、特許文献１の陰唇間パッドの個別包装容器では、陰唇間パッド製造当初の形状、衛生状態を維持できない場合があった。例えば、携帯時において陰唇間パッドを包む個別包装容器７２０が折り曲げられてしまうような場合には、内包する陰唇間パッドも一緒に折れることとなり、周縁部が反り返ってしまうという不都合があった。【０００７】
一方、特許文献２では、使用済み陰唇間パッドを個別包装容器に収容する前に新しい陰唇間パッドを装着しようとすると、一方の手は使用済み陰唇間パッドを持ち、他方の手は未使用の陰唇間パッドを持つことになるため、両手が塞がれてしまう。このため、空いた手で陰唇を開いて陰唇間パッドが侵入できる十分な空間を設け、他方の手で新しい陰唇間パッドを陰唇内に収納させるということができないため、新しい陰唇間パッドを適切な位置に確実に装着することができない。この結果、陰唇間パッドの吸収性能が十分に発揮できないという問題があった。【０００８】
本発明は、以上のような課題に鑑みてなされたものであり、その目的は、未使用の陰唇間パッドの汚損を防止して、製造当初の状態を維持することができる個別包装容器を提供することにある。具体的には、個別包装容器の中の陰唇間パッドの変形や損傷を防止するために、陰唇間パッドの周縁部に加わる負荷が加わることを抑制・回避できる個別包装容器とすることを目的とする。また、使用した陰唇間パッドを取り換える際に未使用の陰唇間パッドの汚染を防止できる個別包装容器を提供することも目的とする。さらに、陰唇間パッドの周縁部に負荷が加わることを抑制・回避できる外包装容器及び中間包装容器を提供することも目的とする。
【課題を解決するための手段】
【０００９】
より具体的には、本発明は、以下のようなものを提供する。【００１０】
（１）  陰唇に挟んで着用する陰唇間パッドを包装するための個別包装容器であって、前記陰唇間パッドは当該陰唇間パッドの輪郭を形成する周縁部を有し、前記個別包装容器は収納される前記陰唇間パッドの前記周縁部よりも高い剛性を備えて前記周縁部を保護する保護領域を有するものである個別包装容器。【００１１】
上述の「剛性」とは、物体の曲げ・ねじれなどによる破壊に耐える能力のことをいう。また、「周縁部」とは、陰唇間パッドの輪郭を形成する端部であり、例えば陰唇間パッドが２つのシートで吸収部材を挟んで内包するように構成される場合には、吸収部材の外側において、吸収部材を含まずにシート同士が接合された部分となる。このような部分は、着用者の肌と接触すると容易に変形しやすいものとなっている。【００１２】
本発明の個別包装容器は、陰唇間パッドの周縁部よりも高剛性となっている保護領域を有している。これにより、個別包装容器に衝撃が加えられても、その衝撃に対し保護領域は曲がりにくく、またねじれにくいため、その領域で内包される陰唇間パッドの周縁部が反り返ったり、潰れてしまったりすることを防ぐことができる。このため、個別包装容器から陰唇間パッドを取り出して着用したときに、着用感に悪影響を及ぼすことを防止できる。また、保護領域の存在により、陰唇間パッド自体の周縁部を柔らかくできるので、着用感がより好適な陰唇間パッドを提供できる。さらに、本発明は、包装容器全体が周縁部よりも高剛性の保護領域となっていてもよい。この場合には、携帯中においても個別包装容器自体が潰れにくくなり、内包される陰唇間パッドの周縁部全域が反り返ったり、また、潰れてしまったりすることを防ぐことができる。【００１３】
上述のようなシートの接合部分が周縁部に位置する陰唇間パッドの場合には、個別包装容器が折り曲げられたりすることにより、内包されている陰唇間パッドの周縁部のシート同士の接合が剥がれて一方のシートのみが反り返ってしまう場合がある。このような場合には、吸収部材が飛び出し易くなり、その状態で着用者が着用してしまうことにより、直接吸収部材に接触した陰唇内壁に繊維が残留してしまうことがあるが、本発明ではこれを未然に防ぐことができる。【００１４】
（２）  前記陰唇間パッドの前記周縁部には、着用状態において着用者の前庭床と接触する前庭床当接領域を備えており、前記保護領域は、前記陰唇間パッドを内包した状態で少なくとも前記前庭床当接領域と接する箇所に設けられているものである（１）記載の個別包装容器。【００１５】
上述の「前庭床」とは、左右の陰唇の付け根部分、即ち、陰唇内部に位置する陰核から膣口を結ぶ線に沿った領域をいう。【００１６】
本発明の個別包装容器は、保護領域が知覚過敏な前庭床と接する陰唇間パッドの前庭床当接領域に設けられている。このようにすることにより、陰唇間パッドの前庭床当接領域の変形や損傷が特に防止されるので、知覚過敏な陰核や肛門と接しやすい部分が反り返ってしまったまま陰唇間パッドが着用され陰核や肛門を傷つけてしまうことを防ぐことができる。【００１７】
（３）  前記保護領域は、所定の剛性素材により構成されているものである（１）または（２）記載の個別包装容器。【００１８】
本発明の個別包装容器は、保護領域が所定の剛性素材により構成され、この所定の剛性素材とは、厚さ１５〜６０μｍのポリエチレン、ポリプロピレン、ポリエチレンテレフタレート、ポリビニルアルコール、ポリ乳酸、ポリブチルサクシネート、又は不織布、紙、及びこれらのラミネート材料が挙げられる。具体的には、低密度ポリエチレン（ＬＤＰＥ）樹脂を８０％以下の範囲、高密度ポリエチレン（ＨＤＰＥ）樹脂を２０％以上の範囲で混合して、目付１５〜３５ｇ／ｍ２の範囲で調整したフィルムが挙げられる。さらには、樹脂配向を高めるために延伸加工を施したフィルムであっても良い。また、個別包装容器は、陰唇間パッドで吸収した経血の色を遮断できることが好ましく、顔料を０．２〜１０％の範囲で混合する、もしくはインキなどで印刷されていてもよい。【００１９】
なお、個別包装容器全体を上記素材で構成するほか、上記素材からなるシートを保護領域に貼り付けることもできる。【００２０】
（４）  前記保護領域には、エンボス加工が施されているものである（１）から（３）いずれか記載の個別包装容器。【００２１】
本発明の個別包装容器は、保護領域にエンボス加工が施されているため、確実な位置に簡便に保護領域を設けることができるようになっている。また、保護領域を構成するための別部材を必要としないため、材料費の高騰を抑えることもできる。具体的にエンボスパターンを示す。フィルムに微小な凸形状を設けた例が挙げられ、微小な凸形状の高さは０．０５〜２ｍｍの範囲、微小な凸形状同士の間隔は０．３〜２０ｍｍの範囲である。また、波状のエンボスパターンであっても良い。その中でも、波状が短手方向へ向かい長手方向へ連続となっていると、長手方向への座屈強度が極めて高くなるため、前庭床と接する前端部１０ａや後端部１０ｂをより一層保護できる。【００２２】
（５）  前記個別包装容器は一連のシート体からなり、前記保護領域は、前記一連のシート体を一部折り畳んだ折り畳み部より成る（１）から（４）いずれか記載の個別包装容器。【００２３】
本発明の個別包装容器は、１枚のシート体で構成され、このシート体の一部が折り返されることにより、保護領域のシート体の厚みが増やされ、強度が高められている。このように、１枚の連続するシート体を折り畳んで保護領域を形成しているため、複数のシート体を積層する場合のように別部材を重ねる必要がないため、確実な位置に保護領域を設けることができる。さらに、個包装素材を折り返して設けることによって、２枚シートを単に重ねた時よりも、１枚のシートを２つ折りにしたときの座屈強度が高くなり、外圧が加わっても折り返し部分で力が逃げにくくなるため、座屈強度をより一層高めることができる。【００２４】
（６）  前記保護領域の座屈強度は、１００ｍＮ以上２０００ｍＮ以下である（１）から（５）いずれか記載の個別包装容器。【００２５】
本発明の個別包装容器は、保護領域の座屈強度を１００ｍＮ以上２０００ｍＮ以下としている。ここで、保護領域の座屈強度が１００ｍＮより小さいと、個別包装容器と共に周縁部も潰れてしまい、２０００ｍＮより大きいと剛さが非常に高いため生産ライン中の包装過程で陰唇間パッドを個別包装容器で被覆しにくくなり不良品が発生してしまう。この点、本発明では上述のような座屈強度とすることにより、個別包装容器に内包された陰唇間パッドの周縁部の形状を保護しながら、一方で、包装過程において、陰唇間パッドを個別包装容器で容易に被覆することができる。具体的に示す。低密度ポリエチレンを５０％、高密度ポリエチレンを５０％で混合して、目付２５ｇ／ｍ２の範囲で調整したフィルムを一度折り返して、保護領域を４重（陰唇間パッドを挟んで片側に２重）のフィルムで構成したときの座屈強度は、１４００ｍＮである。【００２６】
（７）  （１）から（６）いずれか記載の個別包装容器と当該個別包装容器に収納された陰唇間パッドとからなる個包装体であって、前記陰唇間パッドは当該陰唇間パッドの輪郭を形成する周縁部を有し、前記陰唇間パッドの前記周縁部の座屈強度は、５０ｍＮ以上４００ｍＮ以下である個包装体。【００２７】
本発明の個包装体では、陰唇間パッドの周縁部の座屈強度を５０ｍＮ以上４００ｍＮ以下としている。ここで、周縁部の座屈強度が５０ｍＮより小さいと必要以上に圧縮されやすく、かつ曲がり易くなってしまうので、周縁部が塊状になりやすく、着用感に悪影響を及ぼしてしまう。一方、４００ｍＮより大きいと周縁部端面が肌と接触しても周縁部が必要以上には変形しないため、着用者に好適な着用感を提供できない。この点、本発明では上述のような座屈強度とすることにより、陰唇と接触する周縁部の肌触りを良好なものとしながら、一方で、包装過程において、陰唇間パッドの周縁部が反り返ることを防止することもできる。【００２８】
（８）  陰唇に挟んで着用する陰唇間パッドを包装するための個別包装容器であって、未使用の陰唇間パッドの汚染を予防するための保護用シートと、使用済み陰唇間パッドを廃棄する際に使用する廃棄用シートと、からなり、包装状態において、前記保護用シートは前記未使用の陰唇間パッドを直接包装して内包装体を形成するものであり、前記廃棄用シートは前記内包装体を包装するものであり、前記内包装体が前記廃棄用シートに接する面及び／又は前記廃棄用シートが前記内包装体に接する面には、前記内包装体と前記廃棄用シートとが分離可能に固定される仮止部を有するものである個別包装容器。【００２９】
上述の「仮止部」とは、個別包装容器内での本来置かれる適正な位置から陰唇間パッドがずれないために、陰唇間パッドの動きの自由を制限するための部分である。【００３０】
本発明の個別包装容器は、保護用シートと廃棄用シートとからなり、包装状態において、保護用シートは未使用の陰唇間パッドを直接包装して内包装体を形成するものであり、廃棄用シートは内包装体を包装するものである。これにより、未使用の陰唇間パッドを包装していた廃棄用シートで使用済み陰唇間パッドを包んで捨てることができ、一方、未使用の陰唇間パッドは保護用シートで被覆されているので、使用済み陰唇間パッドを廃棄する操作中にゴミ、埃、および細菌等が付着することなく、清潔な状態で未使用の陰唇間パッドの装着を行うことができる。また、使用済み陰唇間パッドを液遮断性の廃棄用シートに包んで、汚物入れに廃棄し、そのあとで、未使用の陰唇間パッドを保護用シートから取り出してすぐに、未使用の陰唇間パッドを取り出して空になった保護用シートをトイレに廃棄することができる。さらに、汚物入れに廃棄するために屈んだ際に、未使用の陰唇間パッドの表面を汚染させてしまったり、保護用シートを廃棄している間に、着用者の膣口から経血が流れ出て、着用者の衣服、身体、トイレ内を経血で汚す危険を低減することができる。【００３１】
また、内包装体が廃棄用シートに接する面及び／又は廃棄用シートが内包装体に接する面には、内包装体と廃棄用シートとを分離可能に仮固定する仮止部を有している。このため、ちょっとした衝撃や、バランスの悪さで、未使用の陰唇間パッドを覆う保護用シートが傾いて、陰唇間パッドが保護用シートから滑り落ちて陰唇間パッドの表面が汚れることを防止する。【００３２】
また、本発明の個別包装容器は、廃棄用シートと保護用シートが分離している２重構造タイプなので、廃棄用シートと保護用シートとに分離する必要がない。これにより、一枚のシートで構成された個別包装容器と比べて、陰唇間パッドを装着するための過程が簡易になる。【００３３】
（９）  前記仮止部は、前記廃棄用シートから前記内包装体を分離する際に前記内包装体を破損しない程度の剥離性と、分離後に再粘着可能な粘着性を備えるものである（８）記載の個別包装容器。【００３４】
上述の「剥離性」とは、廃棄用シートから内包装体を剥ぎ離すことをいう。「粘着性」とは、壁やペーパーホルダー等に貼り付けられる程度の粘りを有する性質のことをいう。【００３５】
本発明の個別包装容器は、仮止部が廃棄用シートから内包装体を分離する際に内包装体を破損しない程度の剥離性を有している。これにより、内包装体を破損することなく廃棄用シートから内包装体を分離できるので、内包装体内の未使用の陰唇間パッドは、ゴミ、埃、および細菌等が付着することなく、清潔な状態を保つことができる。また、本発明の個別包装容器は、仮止部が分離後に再粘着可能な粘着性を備えている。これにより、未使用の内包装体は、壁、ペーパーホルダー等に貼り付けることができる。このとき、未使用の内包装体の仮止め部は、壁やペーパーホルダー等に貼り付けられる程度の粘りを有するので、壁、ペーパーホルダー等に貼り付ける際に傾いたり、衝撃を受けて陰唇間パッドが落ちることはない。また、仮固定したところから剥がす際に保護用シートの強度よりも上回って、保護用シートが破れることなく、容易に取り外すことができる。【００３６】
ここで、保護用シートの陰唇間パッドと接しない側の面は、第１面と第２面を有し、その両方の面、もしくは片方の面に粘着材料が塗布される。保護用シートの両面に、少なくとも２０ｍｍ角は粘着材料が塗布されていない領域が設けられる。これにより、着用者がパッドを覆う保護用シートを掴むための領域（親指、人指し指が触れる部分）が確保され、保護用シートを掴んで、仮置きしたり、パッドを保護用シートから取り出す際に、手に保護用シートの粘着材料がついてしまい、操作しにくくなるのを防止できる。【００３７】
（１０）  陰唇に挟んで着用する陰唇間パッドを包装するための個別包装容器であって、一部を切り離すことができる破断線を有した一連の包装シートから成るものであり、前記破断線で切り離される部分が、使用済み陰唇間パッドを廃棄する際に使用する廃棄用シートとなるものである個別包装容器。【００３８】
本発明の個別包装容器は、一枚の包装シートで構成されているが、この包装シートは、一部を切り離すことができる。これによって、新しい陰唇間パッドを被覆する役割の保護用シートと、使用済み陰唇間パッドの廃棄に使用する役割の廃棄用シートとに分離することができる。即ち、使用済み陰唇間パッドを廃棄するのに利用する廃棄用シートを切り離すことができるので、未使用の陰唇間パッドを包装されたまま持つことができ、それぞれ廃棄用シートと陰唇間パッドとを片手ずつに掴んで、破断線で切り離すことができる。このため、分離の際に、未使用の陰唇間パッドを誤って落とすことを防止できる。【００３９】
（１１）  前記個別包装容器は、未使用の陰唇間パッド及び／又は使用済み陰唇間パッドを収納するための収納部を少なくとも一つ備えるものであり、当該収納部は前記破断線の存在しない領域において前記一連の包装シートの一部を折り畳んで形成されているものである（１０）記載の個別包装容器。【００４０】
本発明においては、一連の包装シートの一部を折り畳んでポケット状にし、この部分に陰唇間パッドを収納できるようにしている。この収納部分に未使用の陰唇間パッドが入っているとき、破断線で切り取る作業中に未使用の陰唇間パッドを落とすおそれがなく、また、使用済みの陰唇間パッドを入れるときには、清潔な廃棄処理が可能となる。また、収納部を２つ設けることができる。例えば、本発明の個別包装容器は、包装シートを破断線で二つに分けた際、未使用の陰唇間パッドを封入する収納部と、この他に収納部が存在していないシート上にもう一つ収納部を設けることで、使用済み陰唇間パッドをその収納部に入れて廃棄でき、廃棄操作がより清潔かつスムーズにすることができる。【００４１】
（１２）  前記個別包装容器は、未使用の陰唇間パッド及び／又は使用済み陰唇間パッドを収納するための収納部を少なくとも一つ備えるものであり、当該収納部は前記一連の包装シートと当該包装シートに取り付けられたミニシートとの間に形成される空間である（１０）記載の個別包装容器。【００４２】
本発明の個別包装容器は、一枚の包装シート上に、もう一枚ミニシートを重ねている。このため、空間を形成するようにミニシートの上からシールするだけで、簡単に陰唇間パッドの収納部を形成することができる。【００４３】
また、収納部を二つにして、一方を未使用の陰唇間パッド用、他方を使用済み陰唇間パッド用とするようにシールすることもできる。そして、更に陰唇間パッドの封入されていない側の包装シート短手方向の端縁に止着テープを設けることにより、使用済み陰唇間パッドを封入した側を内側にして巻き、止着テープにより封止して、密封することができ、使用済み陰唇間パッドが落ちるのを防止できる。【００４４】
（１３）  （１）から（６）若しくは（８）から（１２）いずれか記載の個別包装容器と当該個別包装容器に収納された陰唇間パッドとから成る個包装体、また、（７）記載の個包装体、と、当該個包装体を複数収納する外包装容器と、からなる包装体であって、前記外包装容器内には、前記個包装体を二つ以上収納して封入する小分け用の中間包装容器を備えるものである包装体。【００４５】
本発明の包装体は、個包装体と、個包装体を複数収納する外包装容器と、からなり、外装容器内には、個包装体を二つ以上収納して封入する小分け用の中間包装容器を備えている。即ち、個包装体を二つ以上収納する中間包装容器、つまり小分けパックが外包装容器に入っているので、この小分けパックのみを持ち歩くことができる。また、着用者がトイレ等でこの小分けパックを落としてしまっても、個包装体及び個包装体内の陰唇間パッドの汚損を防止できる。【００４６】
（１４）  前記中間包装容器は、前記外装容器の内壁との間に空隙を設けるように配置されているものである（１３）記載の包装体。【００４７】
本発明の包装体の中間包装容器は、外装容器の内壁との間に空隙を設けるように配置されている。これにより、搬送中において、あるいは着用者が外装容器を誤って落としてしまった場合において、空隙によってその衝撃を緩衝できるので、中間包装容器にその衝撃が伝わることを防止できる。また、中間包装容器に収納された個包装体に封入された陰唇間パッドにその衝撃が伝わることも防止できる。【００４８】
（１５）  前記中間包装容器は気密性素材からなり、前記個包装体を封入して気密封止したものである（１３）または（１４）記載の包装体。【００４９】
本発明の包装体は、中間包装容器は気密性素材からなり、個包装体を封入して気密封止されているので、空気を充填した状態で封止することができる。これにより、着用者が複数の個包装体が封入された中間包装容器を誤って落としてしまっても、空気によってその衝撃を緩衝できるので、個包装体に封入された陰唇間パッド、その衝撃が伝わることを防止できる。したがって、着用者が複数の個包装体が封入された中間包装容器を誤って落としてしまっても、着用感に悪影響を及ぼすことなく陰唇間パッドを着用できる。
【発明の効果】
【００５０】
以上のように、本発明は陰唇間パッドを被覆する個別包装容器が陰唇間パッドの周縁部よりも高剛性となっており、特に、周縁部を覆う部分において、高剛性領域を設けるようにすることにより、携帯時に内包する陰唇間パッドの周縁部が頻繁に反り返ることを防ぐ。これにより、個別包装容器内の陰唇間パッドの周縁部が反り返ることや、被覆体であるシート同士の接合が剥がれることを防止できる個別包装容器を提供することができる。また、取り換える際に未使用の陰唇間パッドの汚染を防止できる個別包装容器を提供することもできる。さらに、陰唇間パッドの周縁部に加わる負荷が加わることを抑制・回避できる外包装容器及び中間包装容器を提供することも目的とする。
【図面の簡単な説明】
【００５１】
【図１】本発明の第１実施形態に係る個包装体を示した正面図である。
【図２】本発明の第１実施形態に係る個包装体の個別包装容器を開封した状態を示した図である。
【図３】本発明の第１実施形態に係る陰唇間パッドの斜視図である。
【図４】本発明の第１実施形態に係る陰唇間パッドの正面図である。
【図５】本発明の第１実施形態に係る陰唇間パッドの斜視図である。
【図６】本発明の第１実施形態に係る陰唇間パッドの斜視図である。
【図７】本発明の第２実施形態に係る個包装体を示した正面図である。
【図８】本発明の第２実施形態に係る個包装体を示した断面図である。
【図９】本発明の第３実施形態に係る個包装体を示した正面図である。
【図１０】本発明の第３実施形態に係る個包装体を示した断面図である。
【図１１】本発明の第４実施形態に係る個包装体を示した正面図である。
【図１２】本発明の第４実施形態に係る個包装体を示した断面図である。
【図１３】本発明の座屈強度を測定する方法を示した図である。
【図１４】本発明の座屈強度を測定する方法を示した図である。
【図１５】本発明の座屈強度の測定値を示すグラフである。
【図１６】本発明の第５実施形態に係る個包装体を示した正面図である。
【図１７】本発明の第５実施形態に係る個包装体を示した断面図である。
【図１８Ａ】本発明の第５実施形態に係る個包装体を示した図である。
【図１８Ｂ】本発明の第５実施形態に係る個包装体を示した図である。
【図１８Ｃ】本発明の第５実施形態に係る個包装体を示した図である。
【図１８Ｄ】本発明の第５実施形態に係る個包装体を示した図である。
【図１９Ａ】本発明の第５実施形態に係る内包装体の斜視図である。
【図１９Ｂ】本発明の第５実施形態に係る内包装体の斜視図である。
【図２０Ａ】本発明の第５実施形態に係る陰唇間パッドの包装過程を示す図である。
【図２０Ｂ】本発明の第５実施形態に係る陰唇間パッドの包装過程を示す図である。
【図２０Ｃ】本発明の第５実施形態に係る陰唇間パッドの包装過程を示す図である。
【図２１Ａ】本発明の第６実施形態に係る個包装体を示した図である。
【図２１Ｂ】本発明の第６実施形態に係る個包装体を示した図である。
【図２２】本発明の第７実施形態に係る内包装体を示した正面図である。
【図２３Ａ】本発明の第７実施形態に係る個包装体を示した図である。
【図２３Ｂ】本発明の第７実施形態に係る個包装体を示した図である。
【図２３Ｃ】本発明の第７実施形態に係る個包装体を示した図である。
【図２４】本発明の第８実施形態に係る内包装体を示した正面図である。
【図２５】本発明の第９実施形態に係る内包装体を示した正面図である。
【図２６】本発明の第１０実施形態に係る内包装体を示した正面図である。
【図２７】本発明の第１１実施形態に係る個別包装容器を示した正面図である。
【図２８】本発明の第１１実施形態に係る個別包装容器を示した断面図である。
【図２９Ａ】本発明の第１１実施形態に係る個別包装容器を示した正面図である。
【図２９Ｂ】本発明の第１１実施形態に係る個別包装容器を示した正面図である
【図２９Ｃ】本発明の第１１実施形態に係る個別包装容器を示した正面図である
【図２９Ｄ】本発明の第１１実施形態に係る個別包装容器を示した正面図である
【図２９Ｅ】本発明の第１１実施形態に係る個別包装容器を示した正面図である
【図３０】本発明の第１１実施形態に係る個別包装容器を示した正面図である。
【図３１Ａ】本発明の第１１実施形態に係る個別包装容器を示した正面図である。
【図３１Ｂ】本発明の第１１実施形態に係る個別包装容器を示した正面図である。
【図３１Ｃ】本発明の第１１実施形態に係る個別包装容器を示した正面図である。
【図３１Ｄ】本発明の第１１実施形態に係る個別包装容器を示した正面図である。
【図３２】本発明の第１２実施形態に係る個別包装容器を示した正面図である。
【図３３Ａ】本発明の第１２実施形態に係る個包装体を示した正面図である。
【図３３Ｂ】本発明の第１２実施形態に係る個包装体を示した正面図である。
【図３３Ｃ】本発明の第１２実施形態に係る個包装体を示した正面図である。
【図３３Ｄ】本発明の第１２実施形態に係る個包装体を示した正面図である。
【図３４】本発明の第１３実施形態に係る外包装容器を示した斜視図である。
【図３５Ａ】本発明の第１３実施形態に係る外包装容器を示した斜視図である。
【図３５Ｂ】本発明の第１３実施形態に係る外包装容器を示した斜視図である。
【図３５Ｃ】本発明の第１３実施形態に係る外包装容器を示した斜視図である。
【図３６】本発明の第１３実施形態に係る外包装容器を示した斜視図である。
【図３７】本発明の第１３実施形態に係る中間包装容器を示した斜視図である。
【図３８】本発明の第１３実施形態に係る中間包装容器を示した斜視図である。
【図３９Ａ】本発明の第１３実施形態に係る外包装容器から陰唇間パッドを取り出すまでの過程を示した斜視図の１枚である。
【図３９Ｂ】本発明の第１３実施形態に係る外包装容器から陰唇間パッドを取り出すまでの過程を示した斜視図の１枚である。
【図３９Ｃ】本発明の第１３実施形態に係る外包装容器から陰唇間パッドを取り出すまでの過程を示した斜視図の１枚である。
【図３９Ｄ】本発明の第１３実施形態に係る外包装容器から陰唇間パッドを取り出すまでの過程を示した斜視図の１枚である。
【図４０】本発明の第１４実施形態に係る外包装容器を示した斜視図である。
【図４１】本発明の第１４実施形態に係る外包装容器を示した斜視図である。
【図４２】本発明の従来技術に係る個包装体を示した正面図である。
【図４３Ａ】本発明の従来技術に係る外包装容器を示した図である。
【図４３Ｂ】本発明の従来技術に係る外包装容器を示した図である。
【図４３Ｃ】本発明の従来技術に係る外包装容器を示した図である。
【図４３Ｄ】本発明の従来技術に係る外包装容器を示した図である。
【符号の説明】
【００５２】
１、１０１、２０１、３０１            個包装体
１０、５１０    陰唇間パッド
１２、５１２    表面側シート
１３            前庭床当接領域
１４、５１４    裏面側シート
１６            吸収部材
１８            周縁部
２０、１２０、２２０、３２０、４２０、５２０、５２０Ｆ、５２０Ｇ、５２０Ｈ、５２０Ｊ            個別包装容器
２２、１２２、２２２、３２２          シート体
２４            開封口
２８            エンボスシール
３５            開封部
３６、５３６Ａ、５３６Ｂ、５３６Ｆ、５３６Ｈ、５３６Ｊ、７３６    止着テープ
１２３          小シート体
２２６          エンボス加工
３２８          折り畳み部
５０１、５０１Ａ、５０１Ｂ、６０１    個包装体
５１１          使用済み陰唇間パッド
５３４、５３４Ｃ、５３４Ｄ、５３４Ｅ、５３４Ｆ、５３４Ｈ          保護用シート
５３５、５３５Ｄ、５３５Ｅ            開口部
５３８Ｂ、５３８Ｃ、５３８Ｅ          粘着材
５４０、５４０Ａ、５４０Ｂ、５４０Ｃ、５４０Ｄ、５４０Ｅ          内包装体
５５０、５５０Ｆ、５５０Ｈ            廃棄用シート
５５１Ｆ、５５１Ｊ、５５１Ｈ          包装シート
５５３Ｆ、５５３Ｈ                    破断線
５５７          ミニシート
６００Ａ、６００Ｂ、６００Ｃ          外包装容器
６５０          中間包装容器
６５４          補強シート
【発明を実施するための形態】
【００５３】
以下、本発明の各実施形態を図面に基づいて説明する。なお、以下の実施形態の説明にあたって、同一の構成要件については同一符号を付し、その説明は省略もしくは簡略化する。
【００５４】
Ａ．陰唇間パッドの周縁部を保護する個別包装容器
［第１実施形態］
図１は、本発明の第１実施形態に係る個包装体１の正面図を示す。図２は、本発明の第１実施形態に係る個包装体１の個別包装容器２０を開封した状態の図を示す。図３は、本発明の第１実施形態に係る陰唇間パッド１０の斜視図を示す。図４は、本発明の第１実施形態に係る陰唇間パッド１０を長手方向の中心線ｋに沿って２つに折り曲げた状態の正面図を示す。
【００５５】
図１に示すように、個包装体１は、陰唇間パッド１０と、これを収納する個別包装容器２０と、を備えている。
【００５６】
陰唇間パッド１０は、着用者の陰唇間に挟み込んで装着される。図３に示すように、陰唇間パッド１０は、被覆体である液体を透過させる性質を有する液透過性の表面側シート１２と、被覆体である液体を実質的に透過させない性質を有する液難透過性の裏面側シート１４と、表面側シート１２と裏面側シート１４との間に配置された吸収部材１６と、を備えている。また、陰唇間パッド１０は、陰唇間パッド１０の輪郭を形成する周縁部１８を有する。周縁部１８は、長手方向の両端部側に位置する前端部１０ａおよび後端部１０ｂを備える。また、図３に示すように、陰唇間パッド１０は、着用する時には長手方向の中心線ｋに沿って、裏面側シート１４同士が向かい合うような状態で２つ折りに折り曲げられ、図４に示すような形状となる。さらに、陰唇間パッド１０は、着用状態において着用者の前庭床と接触する前庭床当接領域１３を備えている。
【００５７】
吸収部材１６を被覆する表面側シート１２及び裏面側シート１４は、上記前庭床当接領域１３において、着用時において恥骨側に面する表面側シート前端部１２ａ及び裏面側シート前端部１４ａと、着用時において臀部側に位置する表面側シート後端部１２ｂ及び裏面側シート後端部１４ｂと、を有する。本実施形態では、表面側シート前端部１２ａと裏面側シート前端部１４ａとが陰唇間パッド１０の周縁部１８の前端部１０ａを構成し、表面側シート後端部１２ｂと裏面側シート後端部１４ｂとが周縁部１８の後端部１０ｂを構成している。
【００５８】
個別包装容器２０は、図１及び図２に示すように、シート体２２で構成され、シート体２２は、陰唇間パッド１０全体を被覆して収納している。また、個別包装容器２０は、開封口２４を有し、この開封口２４近傍でシート体２２の一部が重なり合っており、重なり合ったシート体２２が開封及び切り離し可能なように接着されている。
【００５９】
図１に示す上述した個別包装容器２０には、陰唇間パッド１０の周縁部１８よりも高い剛性を備えた保護領域Ｙ１が設けられている。この保護領域Ｙ１は、前庭床当接領域１３が位置する箇所、つまり個別包装容器２０に封入された状態での陰唇間パッド１０の幅の５〜７０％を覆う寸法で、長手方向においては連続に設けられている。また、個別包装容器２０を構成するシート体２２同士を接合するエンボスシール２８がシート体２２の一端側に個別包装容器２０の長手方向に沿って設けられており、このエンボスシール２８においても保護領域Ｙ１の剛性を高めることができる。更に、重なり合ったシート体２２同士との間には、個別包装容器２０内の密封性を高めるために長手方向へ連続して接着剤が設けられて、この接着剤によって個別包装容器２０の剛性を一層高めている。このため、個包装体１を携帯している間に個包装体１に外圧がかかっても、前庭床当接領域１３の形状を維持することができる。そしてまた、個包装体１は空気が入った状態で陰唇間パッド１０を個別包装容器２０により完全密封して成るものなので、個包装体１を落としてしまったような場合でも、個包装体１の中の陰唇間パッド１０は周縁部１８以外も損傷が生じることを防止されている。
【００６０】
なお、個別包装容器２０を構成するシート体２２同士を接合するエンボスシール２８は、個別包装容器２０の周縁部全域に備えられていても良い。また、シート体２２同士が重なり合って構成される開封部３５には、開封性をより高めるために粘着力を有する止着テープ３６が設けられていても良い。
【００６１】
本発明では、個別包装容器２０に保護領域Ｙ１が設けられることにより、図５に示すように、陰唇間パッド１０の周縁部１８において着用時に着用者の陰核に接しやすい前端部１０ａや、肛門と接しやすい後端部１０ｂが反り返ることを防ぐことが可能となり、陰唇間パッド１０を着用した時に、着用者の陰核や肛門を傷つけることを防止できる。また、図６に示すように周縁部１８において、表面側シート前端部１２ａや表面側シート後端部１２ｂが反り返って裏面側シート前端部１４ａや裏面側シート後端部１４ｂから剥がれることを防ぎ、さらには吸収部材１６が飛び出ることを防ぐので、着用時において吸収部材１６が接して陰唇内壁に繊維が残留することを防止できる。
【００６２】
個別包装容器２０の保護領域Ｙ１は、陰唇間パッド１０の周縁部１８全体を保護するように設けられていても良いし、前庭床当接領域１３のみを保護するように設けられていても良い。また、個別包装容器２０の保護領域Ｙ１は、前端部１０ａ（表面側シート前端部１２ａ及び裏面側シート前端部１４ａ）や、後端部１０ｂ（表面側シート後端部１２ｂ及び裏面側シート後端部１４ｂ）のみを保護するために設けられていても良い。
【００６３】
個別包装容器２０の保護領域Ｙ１の座屈強度は、１００ｍＮ以上２０００ｍＮ以下であることが好ましい。これにより、包装過程において、個包装体１の携帯時に周縁部１８が反り返ることを防止することができる。さらに、陰唇間パッド１０の周縁部１８の座屈強度は、５０ｍＮ以上４００ｍＮ以下であることが好ましい。
【００６４】
［第２実施形態］
図７は、本発明の第２実施形態に係る個包装体１０１の正面図を示す。図８は、図７のｐ−ｐ’線における断面図を示す。
【００６５】
本実施形態において、図７及び図８に示すように、個別包装容器１２０を構成するシート体の枚数が多く、シート体１２２と陰唇間パッド１０との間に、別途小シート体１２３が配置されて保護領域Ｙ２を形成している点が、前記第１実施形態と異なる。この小シート体１２３は、図８に示すように、前庭床当接領域１３が位置する箇所を含む部分である保護領域Ｙ２に配置されているので、この部分において、シート体１２２と小シート体１２３とが積層され、剛性が高められている。
【００６６】
［第３実施形態］
図９は、本発明の第３実施形態に係る個包装体２０１の正面図を示す。図１０は、図９のｑ−ｑ’線における断面図を示す。
【００６７】
本実施形態において、図９及び図１０に示すように、個別包装容器２２０を構成するシート体２２２において、陰唇間パッド１０の前庭床当接領域１３と接する部分にエンボス加工によるエンボスパターン２２６が施されることにより保護領域Ｙ３が設けられている点が、前記第１実施形態と異なる。このようにエンボス加工によれば、確実な位置に簡便に高い剛性を備える保護領域Ｙ３を設けることができる。また、保護領域Ｙ３を構成するために別部材を必要としないため、材料費を抑えることができる。
【００６８】
なお、エンボスパターン２２６は上述のように保護領域Ｙ３の部分に設けるほか、シート体２２２の陰唇間パッド１０の周縁部１８と接する部分全てに、またはシート体２２２全体に施されていても良い。
【００６９】
［第４実施形態］
図１１は、本発明の第４実施形態に係る個包装体３０１の正面図を示す。図１２は、図１１のｒ−ｒ’線における断面図を示す。
【００７０】
本実施形態において、図１１及び図１２に示すように、個別包装容器３２０は、シート体３２２が一部折り畳まれた折り畳み部３２８よりなる保護領域Ｙ４を有する点が、前記第１実施形態と異なる。これにより、個別包装容器３２０の座屈強度が高まるだけでなく、別部材を必要とせずに確実な位置に高い剛性の保護領域を設けることができる。また、第２実施形態のように保護領域を構成するために別部材を必要としないため、材料費を抑えることができる。
【００７１】
＜個別包装容器の座屈強度測定＞
本発明の個別包装容器を構成する各素材の静摩擦係数測定方法による座屈強度の測定方法を、図１３及び図１４に示す。座屈強度の測定は、インストロン万能材料試験機（インストロンジャパンカンパニーリミテッド社製）を用いて行う。まず、図１３に示すように、個別包装容器４２０を直径ｄは４５ｍｍ、高さｈは４０ｍｍの円柱状に形成した。次に、ステープラーの針４３０を用いて、Ｘ１とＸ２の間隔で円柱状の個別包装容器４２０を接合する。本発明の測定においては、Ｘ１は５ｍｍ間隔で、Ｘ２は１５ｍｍ間隔で接合した。続いて、図１４に示すように、試験機の圧縮速度Ｓを３０ｍｍ／ｍｉｎとし、個別包装容器４２０の座屈強度を測定した。さらに、図８のように別途小シートが配置されるなどして保護領域が４重（陰唇間パッドを挟んで片側に２重）で構成されているものについては、試験片は２重にして円柱を形成し測定する。
【００７２】
この時の個別包装容器４２０にかかる応力と、歪との関係を図１５に示す。本試験では、試料を８０％圧縮した時点での第１降伏点４３２の応力の測定を５回行った平均値を座屈強度としている。また、周縁部（表面側シートと裏面側シート）の座屈強度の測定は、個別包装容器４２０と同様の手順で測定を行う。
【００７３】
［構成材料］
＜個別包装容器＞
個別包装容器の材料としては、厚さ１５〜６０μｍのポリエチレン、ポリプロピレン、ポリエチレンテレフタレート、ポリビニルアルコール、ポリ乳酸、ポリブチルサクシネート、又は不織布、紙、及びこれらのラミネート材料が挙げられる。また、樹脂に無機フィラーを充填させたシートに延伸処理を施すことで得られる通気フィルムであっても良い。具体的には、低密度ポリエチレン（ＬＤＰＥ）樹脂と高密度ポリエチレン（ＨＤＰＥ）樹脂とを混合して、目付１５〜３５ｇ／ｍ２の範囲で調整したフィルムが挙げられる。または、ポリエチレン、ポリプロピレン等から成るフィルム、若しくは不織布や紙にメルトブローンを吹き付けて構成したメルトブローン面を個別包装容器の内側に備える素材が挙げられる。メルトブローンは、極細繊維の集合体であるので表面積が高くなり、静摩擦係数を適度な範囲内で得ることが可能である。また、個別包装容器は陰唇間パッドで吸収した体液の色を遮断できることが好ましく、顔料を０．２〜１０％の範囲で混合する、若しくはインキなどが印刷されていても良い。また、通気度が０．０４０ＫＰａ・ｓ／ｍ以上１０００ＫＰａ・ｓ／ｍ以下である個別包装容器は、無機フィラーを充填させて延伸処理を施す、または部分的に開孔処理が施されている連結孔を有することで得られる通気フィルム、厚さ１５〜６０μｍのポリエチレン、ポリプロピレン、ポリエチレンテレフタレート、ポリビニルアルコール、ポリ乳酸、ポリブチルサクシネート、又は不織布、紙、及びこれらのラミネート材料に連結孔を施した例が挙げられる。具体的には、スパンボンド・メルトブローン・スパンボンドが、６〜１０ｇｓｍ・５〜２０ｇｓｍ・６〜１０ｇｓｍ重量で構成される、いわゆるＳＭＳ不織布が挙げられる。メルトブローンは、極細繊維の集合体であるので、高密度となりバリアー性が高いため、このメルトブローン層の目付等を調整することで適正な通気度が得られる。
【００７４】
＜陰唇間パッドの表面側シート＞
陰唇間パッドの身体側に配置される表面側シートとしては、透水性であり、かつ液親水性であり、肌に刺激を与えない素材が用いられる。このような素材としては、パルプ、化学パルプ、レーヨン、コットン、アセテート、合成繊維、物理的にエンボス加工されたレーヨンやアセテート、架橋剤により架橋させ、捲縮した化学パルプなどを単独、または複合して用いてよい。シートの製法に関しては、スパンボンド法、ポイントボンド法、エアースルー法、メルトブローン法、スパンレース法、抄紙法等が挙げられる。このような製法のうち、陰唇間パッドの外面には個別包装容器内面とのすべり性を高めてしまうような油剤や潤滑剤等が含まれていない方が良いため、水流交絡によって繊維交絡をし、その水流によって繊維に付着していた油剤を離脱できるスパンレース法が好ましい。
【００７５】
＜陰唇間パッドの裏面側シート＞
陰唇間パッドに使用される液難透過性である裏面側シートには、難透水性の素材が使用される。この難透水性のシートの材料としては、吸収部材に保持された経血が陰唇間パッドの外へ漏れ出すことを防止できるものを使用することができる。また、透湿性素材を使用することにより、装着時の蒸れを低減させることができ、装着時における不快感を低減させることが可能となる。このような裏面側シートの材料としては、厚さ１５〜６０μｍのポリエチレン、ポリプロピレン、ポリエチレンテレフタレート、ポリビニルアルコール、ポリ乳酸、ポリブチルサクシネート、又は不織布、紙、及びこれらのラミネート材料が挙げられる。また、無機フィラーを充填させて延伸処理を施すことで得られる通気フィルムであっても良い。具体的には、低密度ポリエチレン（ＬＤＰＥ）樹脂を主体として、目付１５〜３５ｇ／ｍ２の範囲で調整したフィルムが挙げられる。または、ポリエチレン、ポリプロピレン等から成るフィルム、若しくは不織布や紙にメルトブローンを吹き付けて、メルトブローン面を陰唇間パッド外面に備える裏面側シートが挙げられる。メルトブローンは、極細繊維の集合体であるので表面積が高くなり、静摩擦係数を適度な範囲内で得ることが可能である。
【００７６】
Ｂ．陰唇間パッドの汚染を防止する個別包装容器
［第５実施形態］
図１６は、本発明の第５実施形態に係る個包装体５０１の正面図を示す。図１７は、図１６のｓ−ｓ’線における断面図を示す。図１８Ａは、本発明の第５実施形態に係る個包装体５０１の正面図を示す。図１８Ｂは、本発明の第５実施形態に係る個包装体５０１を展開した状態を示した図である。図１８Ｃは、本発明の第５実施形態に係る内包装体５４０の正面図を示す。図１８Ｄは、本発明の第５実施形態に係る廃棄用シート５５０の正面図を示す。図１９Ａは、本発明の第５実施形態に係る内包装体５４０の斜視図を示す。図１９Ｂは、本発明の第５実施形態に係る内包装体５４０の保護用シート５３４が一部展開した斜視図を示す。図２０Ａは、本発明の第５実施形態に係る個包装体５０１の保護用シート５３４が展開した状態を示す。図２０Ｂは、本発明の第５実施形態に係る個包装体５０１の保護用シート５３４が一部展開した斜視図を示す。図２０Ｃは、本発明の第５実施形態に係る内包装体５４０の正面図を示す。
【００７７】
本実施形態においては、図１６に示すように、個包装体５０１は、内包装体５４０と、これを収納する廃棄用シート５５０と、を備えている。そして、内包装体５４０は、陰唇間パッド５１０と、未使用の陰唇間パッド５１０を直接包装する保護用シート５３４と、から構成されている。
【００７８】
本実施形態においては、図１７に示すように、保護用シート５３４の幅方向の両側部が陰唇間パッド５１０を包囲するように折り畳まれて、内包装体５４０が形成されている。また、廃棄用シート５５０の幅方向の両側部が、内包装体５４０を包囲するように折り畳まれることにより、内包装体５４０は廃棄用シート５５０で内包されて、個包装体５０１が形成されている。これによって、図１８Ａに示す個包装体５０１使用時において、図１８Ｂに示すように、廃棄用シート５５０を展開し、さらに図１８Ｃ及び図１８Ｄに示すように、廃棄用シート５５０と内包装体５４０とに分けることができるので、廃棄用シート５５０で使用済み陰唇間パッドを包んで廃棄する操作中に、未使用の陰唇間パッド５１０を汚さないように保護用シート５３４で包んだままにしておくことができる。
【００７９】
また、図１９Ａ及び図１９Ｂに示すように、本実施形態の保護用シート５３４の開封口を開封すると、陰唇間パッド５１０の裏面側シート５１４、または装着の際に掴む保持部が現われて、裏面側シート５１４、または装着の際に掴む保持部をつかんで、陰唇間パッド５１０を取り出すことができる。
【００８０】
次に、図２０Ａ、図２０Ｂ及び図２０Ｃに、本実施形態の未使用の陰唇間パッド５１０を保護用シート５３４で包装する過程を示す。まず、図２０Ａに示すように、未使用の陰唇間パッド５１０の裏面側シート５１４または装着の際に掴む掴持部ではない側が覆われるように、保護用シート５３４の横軸の片側部が折り畳まれる（以下、第１折ｔという）。次に、図２０Ｂに示すように、もう片側部が折り畳まれて（以下、第２折ｕという）、保護用シート５３４の重なり部が封止される。続いて、図２０Ｃに示すように、保護用シート５３４の縦軸の端縁が重ねられた部分でヒートエンボスによる押し圧や雄雌のエンボスによる絡合により再剥離可能に接着する。
【００８１】
第１折ｔの折り返し寸法は、未使用の陰唇間パッド５１０の短手方向の半分以上が、覆われていればよく、５〜６０ｍｍが好ましい。第２折ｕの折り返し寸法は、第１折ｔの外面側に覆い被さるように重なっていればよく、１０〜６０ｍｍが好ましい。第１折ｔと第２折ｕの重なりは５〜２０ｍｍが好ましい。重なり部はゴミや埃などが入らないように止着テープやホットメルト、熱シール、噛み込みエンボスなど公知の技術により封止されている。具体的には第２折ｕの端縁から２〜１０ｍｍの範囲で保護用シート５３４の内面側に重なり方向に沿って、５〜１００ｇ／ｍ２、１〜３ｍｍ幅でホットメルトが塗布されて、重なり部が封止される。保護用シート５３４の縦軸の端縁が重ねられた部分は保護用シート５３４の融着温度でヒートエンボスし、再剥離可能に接着する。具体的には２５ｇ／ｍ２のポリエチレンフィルムを保護用シート５３４として用い、エンボス部が一角あたり、０．７ｍｍ２で隣接し、隣接するエンボス部の間隔が１ｍｍ、角度４５度でエンボス部を３列配列させたエンボスパターンロールを用いて、上軸ロールが７０〜１２０℃、下軸ロールが９０〜１４０℃でヒートシールする。
【００８２】
なお、「見かけ」とは、「長さ」寸法が最短の２点間距離であることを意味するものである。これは、製造工程との関係で、凹凸形状をたどった２点間の「道のり」（換言すれば、凹凸形状を展開したフラットな状態での２点間距離）を実際の「長さ」として取り扱う場合があるため、入念的に定義したものである。
【００８３】
［第６実施形態］
図２１Ａは、本発明の第６実施形態に係る個包装体５０１Ａを展開した状態を示した図である。図２１Ｂは、本発明の第６実施形態に係る個包装体５０１Ａを示した図である。
【００８４】
本実施形態においては、図２１Ａ及び図２１Ｂに示すように、廃棄用シート５５０が止着テープ５３６Ａを有する点が、前記第５実施形態と異なる。図２１Ａ及び図２１Ｂに、本実施形態の内包装体５４０Ａを廃棄用シート５５０で包装する過程を示す。まず、内包装体５４０Ａを廃棄用シート５５０での略中央域に配置して、廃棄用シート５５０の横軸の両側部で内包装体５４０Ａを包囲するように折り畳む。次に、廃棄用シート５５０の縦軸の端縁が重ねられた部分で再剥離可能に接着され、廃棄用シート５５０に取り付けられている止着テープ５３６Ａで、廃棄用シート５５０の重なり部を封止する。これにより、廃棄用シート５５０に内包された内包装体５４０Ａの動きを制限できるとともに、廃棄用シート５５０から内包装体５４０Ａがこぼれ落ちることを防ぐことができる。また、使用済み陰唇間パッドを廃棄用シート５５０で包み、廃棄する操作の際に止着テープ５３６Ａの粘着力を利用して、使用済み陰唇間パッドを包んだ廃棄用シート５５０を止着することができる。さらには、使用済み陰唇間パッドを包んだ廃棄用シート５５０が、汚物入れに廃棄する前に再び開いて着用者の手を汚してしまい、不衛生になることを防止できる。
【００８５】
廃棄用シート５５０の長さ寸法は、内包装体５４０Ａの長さ寸法以上で、具体的には縦軸が８０〜３００ｍｍ、横軸が５０〜４００ｍｍである。廃棄用シート５５０の縦軸の端縁が重ねられた部分の接着方法は、前に述べた保護用シート５３４の縦軸の端縁が重ねられた部分の接着方法と同様である。廃棄用シート５５０の重なり部を封止する方法は止着テープ５３６Ａによるものに限らず、熱シール、噛み込みエンボス、少量の粘着剤を重なり方向に沿って塗布するなどの公知技術でもよい。
【００８６】
なお、廃棄用シート５５０は、図２１Ａ及び図２１Ｂに示すように、三つ折りにして形成されている以外にも、止着テープ５３６Ａのついていない側の廃棄用シート５５０端縁が内側に折り畳まれて、廃棄用シート５５０を開封した際に使用済み陰唇間パッドを包むのに余裕のある大きさを有しているとさらに好ましい。これにより、使用済み陰唇間パッドを、余裕を持って廃棄用シート５５０に包むことができるため、誤って手を使用済み陰唇間パッドに付着した経血で汚してしまうことを防止できる。さらに、廃棄用シート５５０は、使用済み陰唇間パッドを陰唇間から取り外す際に廃棄用シート５５０で指を覆って、経血で指を汚してしまわないためのシートとしても利用することができる。
【００８７】
［第７実施形態］
図２２は、本発明の第７実施形態に係る内包装体５４０Ｂを示した正面図である。図２３Ａは、本発明の第７実施形態に係る個包装体５０１Ｂを展開した状態を示した図である。図２３Ｂは、本発明の第７実施形態に係る個包装体５０１Ｂを示した正面図である。図２３Ｃは、図２３Ｂのｖ−ｖ’線における断面図である。
【００８８】
本実施形態においては、図２２に示すように内包装体５４０Ｂが粘着材５３８Ｂを有する点、及び、図２３Ａ及び図２３Ｂに示すように廃棄用シート５５０が止着テープ５３６Ｂを有する点が、それぞれ前記第５実施形態と異なる。これにより、図２２に示すように、内包装体５４０Ｂは、陰唇間パッド５１０を覆う保護用シート５３４の外面側の開封部にかからない位置に、少なくとも１箇所に粘着材５３８Ｂが備えられている。さらに、図２３Ａ及び図２３Ｂに示すように、内包装体５４０Ｂは廃棄用シート５５０で内包される。廃棄用シート５５０は、廃棄用シート５５０の長辺方向の片側部が内包装体５４０Ｂに設けられた粘着材５３８Ｂを覆うように折り畳まれ、止着テープ５３６Ｂにより封止される。横軸端縁及び重なり部の封止方法については、前記第６実施形態と同様である。
【００８９】
なお、陰唇間パッド５１０を覆う保護用シート５３４の外面側に設けられた粘着材５３８Ｂは、廃棄用シート５５０の１面で覆われればよく、廃棄用シート５５０の重なり部にまたがらなければよい。より好ましくは、前述のように、先に折り畳まれる廃棄用シート５５０の側部と対面するように折り畳んだ個包装体５０１Ｂである。このように、廃棄用シート５５０を充分広げるまで、内包装体５４０Ｂは廃棄用シート５５０と接合された状態を保つことができるため、保護用シート５３４に覆われた陰唇間パッド５１０を誤って落としてしまうことを防止できる。また、廃棄用シート５５０を開封し、陰唇間パッド５１０を包む保護用シート５３４は、外面側に粘着材５３８Ｂがついた状態で取り出される。このため、粘着材５３８Ｂの粘着力を利用して、壁やペーパーホルダー等に内包装体５４０Ｂを固定することができる。これにより、内包装体５４０Ｂを手で持ちながら廃棄作業をすることにより、保護用シート５３４から滑り落ちて陰唇間パッド５１０の表面が汚れることなく内包装体５４０Ｂを仮置きすることができる。
【００９０】
［第８実施形態］
図２４は、本発明の第８実施形態に係る内包装体５４０Ｃを示した正面図である。
【００９１】
本実施形態において、図２４に示すように、保護用シート５３４Ｃの折り曲げ部以外の３辺をシールすることにより、内包装体５４０Ｃが完全に封入されている点が、前記第５実施形態と異なる。即ち、陰唇間パッド５１０が保護用シート５３４Ｃに完全に封入されているため、保護用シート５３４Ｃから脱落するおそれがなく、保護用シート５３４Ｃに覆われた陰唇間パッド５１０を、保護用シート５３４Ｃを貼り付けることのできるトイレ内のスペースにあわせて垂直方向にも水平方向にも向けて壁やペーパーホルダー等に貼付けて仮置きすることが可能である。また、陰唇間パッド５１０は、保護用シート５３４Ｃに完全に封入されている上に、かつ陰唇間パッド５１０を覆う保護用シート５３４Ｃの外面側の開封部にかからない位置に、少なくとも１箇所に粘着材５３８Ｃが備えられているので、保護用シート５３４Ｃから滑り落ちて陰唇間パッド５１０の表面が汚れることはない。また、使用済み陰唇間パッドを廃棄用シートに包んで廃棄した後に、内包装体５４０Ｃを貼り付けておいた場所から取り外して開封し、着用者は清潔な状態の陰唇間パッド５１０を装着できる。
【００９２】
［第９実施形態］
図２５は、本発明の第９実施形態に係る内包装体５４０Ｄを示した正面図である。
【００９３】
本実施形態において、図２５に示すように、内包装体５４０Ｄが保護用シート５３４Ｄの開口部５３５Ｄ側に、陰唇間パッド５１０の裏面側シートまたは掴み部を向けて内包されている点が、前記第５実施形態と異なる。これにより、陰唇間パッド５１０の重みで開口部５３５Ｄが広がって陰唇間パッド５１０が保護用シート５３４Ｄからこぼれ落ちることなく、開口部５３５Ｄが常に垂直方向の上方向に向くように、保護用シート５３４Ｄをトイレの壁やペーパーホルダーなどに固定することができる。そのため、保護用シート５３４Ｄから滑り落ちて陰唇間パッド５１０の表面が汚れることなく仮置きすることができる。また、前記第８実施形態に示す陰唇間パッド５１０が保護用シート５３４Ｃに完全に封入されている場合と比較して、あらかじめ陰唇間パッド５１０を取り出す口が開いているために、未使用の陰唇間パッド５１０を取り出して装着するまでの工程が短くなり、着用者の膣口から流れ出た経血で、着用者の衣服、身体、またはトイレ内を汚さずに装着しやすくなる。
【００９４】
［第１０実施形態］
図２６は、本発明の第１０実施形態に係る内包装体５４０Ｅを示した正面図である。
【００９５】
本実施形態において、図２６に示すように、筒状に形成した保護用シート５３４Ｅに陰唇間パッド５１０が、陰唇間パッド５１０の長手方向に対して保護用シート５３４Ｅに開口部５３５Ｅが垂直方向になるように収められている点が、第５実施形態と異なる。粘着材５３８Ｅを塗布する幅は、陰唇間パッド５１０の長手方向と平行な保護用シート５３４Ｅの長さ寸法の１／３以上が好ましく、また、保護用シート５３４Ｅの開口部５３５Ｅを有する辺と垂直方向の長さ寸法の略中央部に塗布されるのが好ましい。これにより、開口部５３５Ｅを水平方向に向くようにして壁やペーパーホルダーに貼り付けた際に、保護用シート５３４Ｅが傾いて陰唇間パッド５１０が保護用シート５３４Ｅからこぼれ出てしまうことを防止する。
【００９６】
［第１１実施形態］
図２７は、本発明の第１１実施形態に係る陰唇間パッド５１０を包装した個別包装容器５２０Ｆを示した正面図である。図２８は、図２７のｗ−ｗ’線における断面図である。図２９Ａは、本発明の第１１実施形態に係る陰唇間パッド５１０を包装した個別包装容器５２０Ｆを示した正面図である。図２９Ｂは、本発明の第１１実施形態に係る陰唇間パッド５１０を包装した個別包装容器５２０Ｆを展開した図である。図２９Ｃは、本発明の第１１実施形態に係る陰唇間パッド５１０を包装した個別包装容器５２０Ｆを展開し、破断線５５３Ｆで破断した図である。図２９Ｄは、本発明の第１１実施形態に係る陰唇間パッド５１０を包装した個別包装容器５２０Ｆを展開し、破断線５５３Ｆで破断した図である。図２９Ｅは、本発明の第１１実施形態に係る使用後の陰唇間パッド５１０を包装用シート５５１Ｆで包装した図である。
【００９７】
本実施形態において、図２７及び図２８に示すように、個別包装容器５２０Ｆが一連の包装シート５５１Ｆからなる点が、第５実施形態と異なる。陰唇間パッド５１０を包装用シート５５１Ｆの長手方向の片側端面に配置して、包装用シート５５１Ｆの片側で陰唇間パッド５１０を包むように１回折り返し、折り返した包装用シート５５１Ｆの側部の重ねられた部分が熱シールなどで接着されポケット部を形成する。また、包装用シート５５１Ｆの陰唇間パッド５１０を封入した止着テープ５３６Ｆよりも外側に、包装用シート５５１Ｆを二つに切り離すための破断線５５３Ｆが設けられている。さらに、包装用シート５５１Ｆの陰唇間パッド５１０を覆っている側の端縁を内側にして、少なくとも一回以上折り返して、包装用シート５５１Ｆの重なり部を封止する。封止するための手段は、前述の止着テープ５３６Ｆが挙げられる。
【００９８】
また、本実施形態においては、個別包装容器５２０Ｆが一枚の包装シートで構成され、この包装シート５５１Ｆの一部を切り離すことができる点が、第５実施形態と異なる。図２９Ａに示す個別包装容器５２０Ｆは、図２９Ｂに示す破断線５５３Ｆを切り離すことによって、図２９Ｃに示すように、包装シート５５１Ｆの一部を切り離すことができる。これによって、陰唇間パッド５１０を被覆する役割の保護用シート５３４Ｆと、使用済み陰唇間パッド５１１の廃棄に使用する役割の廃棄用シート５５０Ｆとに分離することができる。そして、使用済み陰唇間パッド５１１を廃棄するのに利用する廃棄用シート５５０Ｆを切り離すことができるので、未使用の陰唇間パッド５１０を包装されたまま持つことができる。このため、廃棄用シート５５０Ｆと陰唇間パッド５１０とをそれぞれ片手ずつに掴んで、破断線５５３Ｆで切り離すことができるため、未使用の陰唇間パッド５１０を誤って落とすことを防止できる。
【００９９】
なお、本実施形態の変形例として、図３０に示すように、折り返した包装用シート５５１Ｈの端縁を、破断線５５３Ｈの設けられる部分を超えてもう片側の端縁方向に向かって延長し、包装用シート５５１Ｈの重なっている部分で収納部を形成するようにし、その包装用シート５５１Ｈの重なった部分において３辺をシールしていてもよい。このようにすることにより、陰唇間パッド５１０を封入していない側の包装用シート５５１Ｈにも収納部Ｈを設けることができる。
【０１００】
図３１に示すように、図３１Ａに示す個別包装容器５２０Ｈは、図３１Ｂに示す包装用シート５５１Ｈに設けられた破断線５５３Ｈを切り離すことによって、保護用シート５３４Ｈと廃棄用シート５５０Ｈとに切り離される。続いて、図３１Ｃに示すように、廃棄用シート５５０Ｈの収納部Ｈに使用済み陰唇間パッド５１１を収納することができる。そして、使用済み陰唇間パッド５１１を収納した収納部Ｈの開口部をシールすることで使用済み陰唇間パッド５１１を廃棄用シート５５０Ｈに封入することができる。また、使用済み陰唇間パッド５１１を封入していない側の廃棄用シート５５０Ｈの短辺方向の端縁に止着テープ５３６Ｈを設け、使用済み陰唇間パッド５１１を封入した側を内側にして巻き、止着テープ５３６Ｈにより封止する。
【０１０１】
［第１２実施形態］
図３２は、本発明の第１２実施形態に係る陰唇間パッド５１０を包装した個別包装容器５２０Ｊを展開した正面図を示す。図３３Ａは、本発明の第１２実施形態に係る陰唇間パッド５１０を包装した個別包装容器５２０Ｊを展開した正面図を示す。図３３Ｂは、本発明の第１２実施形態に係る陰唇間パッド５１０を包装した個別包装容器５２０Ｊを、破断線５５３Ｊで破断した図である。図３３Ｃは、本発明の第１２実施形態に係る包装シート５５１Ｊで使用済みの陰唇間パッド５１１を内包する図である。図３３Ｄは、本発明の第１２実施形態に係る使用済みの陰唇間パッド５１１を廃棄する方法を示した図である。
【０１０２】
本実施形態においては、図３２に示すように、個別包装容器５２０Ｊは、一枚の包装用シート５５１Ｊ上に、もう一枚ミニシート５５７を重ね、ミニシート５５７が収納部Ｊとなる空間を形成するように、ミニシート５５７が取り付けられる。また、図３３Ａに示す個別包装容器５２０Ｊは、図３３Ｂに示す包装用シート５５１Ｊが設けられた破断線５５３Ｊを切り離すことができる。また、図３３Ｂに示すように、陰唇間パッド５１０を包装シート５５１Ｊに設けられた収納部Ｊのどちらかに入れ、収納部Ｊの開口部をシールすることで、陰唇間パッド５１０を包装シート５５１Ｊに封入することができる。さらに、図３３Ｃに示すように、また、未使用の陰唇間パッド５１０を封入していない側の包装シート５５１Ｊの短辺方向の端縁に止着テープ５３６Ｊを設け、図３３Ｄに示すように、使用済み陰唇間パッド５１１を封入した側を内側にして巻き、止着テープ５３６Ｊにより封止する。
【０１０３】
なお、このミニシート５５７の上からシールし、収納部Ｊを二つにすることもできる。
【０１０４】
＜陰唇間パッドの最適な形態＞
陰唇間パッド５１０の表面材料側を凸部側にして陰唇間パッド５１０の長手方向軸を中心にして、二つに折った状態で保護用シート５３４で覆うことが好ましい。二つ折りにした陰唇間パッド５１０の凸部が保護用シート５３４の重なり部分の下になる側の折り返し部を向いて配置することで、保護用シート５３４を開封した際に開封口側に裏面材料側が向く。陰唇間パッド５１０を二つ折りにする理由としては、陰唇間パッド５１０は表面材料を陰唇内面側にして、裏面材料同士が向き合う二つ折りの状態で装着されるため、あらかじめ、表面材料側を凸部側にして折ってあれば、陰唇間パッド５１０の表面材料に手を触れずに、そのまま保護用シート５３４から陰唇間パッド５１０を取り出し、装着までを表面材料に手を触れずに行うことができるからである。即ち、陰唇間パッド５１０を折らずに平らな状態もしくは、裏面材料側を外側にして折って内包した場合、陰唇間パッド５１０を取り出してからいったん表面材料を外側に向けるという動作が発生する。この場合、表面材料側を外側に向けるように折る際に、表面材料に手の指が触れて、未使用の陰唇間パッド５１０が汚染される危険性があるが、本発明はこのようなことが予め防がれている。
【０１０５】
＜陰唇間パッド及び保護用シートの寸法＞
陰唇間パッドの見かけ上の長さ寸法は、長手方向で５０〜１６０ｍｍ、短手方向で１０〜６０ｍｍの範囲が好ましい。また、陰唇間パッドを覆う保護用シートの長さ寸法は、陰唇間パッド５１０の長さ以上であれば良い。具体的には縦軸が７５〜２００、横軸が３０〜３００ｍｍである。
【０１０６】
＜保護用シート及び廃棄用シートの形態＞
陰唇間パッドを封入する保護用シートの外面と廃棄用シートが貼り合わされ、一つの構造体を形成する。保護用シートと廃棄用シートは貼り合わされている部分を剥離し、分離することができる。具体的には、保護用シートの外面側の開封部の設けられていない面のほぼ中央域に粘着材料が備えられ、廃棄用シートと貼り合わされる。粘着部は、５〜１００ｇ／ｍ２のホットメルトが塗布されて成り、前述の粘着材料の例と同様である。廃棄用シートの粘着材と貼り合わされる部分は剥離材料、もしくは廃棄用シートに離型処理がなされている。廃棄用シートは使用済み陰唇間パッドを包んで廃棄するのに十分な大きさであり、折り畳んで、止着テープで止められている。廃棄用シートはプリーツ状の折り畳み、ロール状で形成されていても良い。止着テープは前述と同様である。保護用シートと廃棄用シートを貼り合わせる方法は、粘着材料だけに限らず、熱シールや噛み込みエンボスであってもかまわないが、廃棄用シートを利用して使用済みパッドの廃棄をする間、トイレ内のどの場所にも貼り付けておくことが可能な粘着材料がより、好ましい。この構成においては、陰唇間パッドは保護用シートに封入される。封入されていないと、着用者が持ち運ぶ際にパッドがこぼれ出てしまう。この構成にすることによって、まず、保護用シートに封入された陰唇間パッドと廃棄用シートを分離し、保護用シートに封入された陰唇間パッドをどこかに固定して仮置きしてから、廃棄用シートを広げることができる。
【０１０７】
保護用シートから廃棄用シートを分離する際には、廃棄用シートがコンパクトに折り畳まれた状態なので、廃棄用シートがもたつかず、操作性がよい。しかし、保護用シートと廃棄用シートを剥離して分離するためのきっかけとなる部分（粘着材料によって貼りあわされていない部分）が露出した状態になるために、着用者が持ち運んでいる間に保護用シートと廃棄用シートが剥離して分離してしまう危険がある。以上の例以外にも保護用シートの内面側に廃棄用シートが貼り付けられて陰唇間パッドとともに封入される例や、保護用シート内に廃棄用シートと陰唇間パッドがともに封入される例も挙げられるが、保護用シートを開封、廃棄用シートを取り出す際に、未使用の陰唇間パッドが保護用シートからこぼれ落ちる危険性が発生するため、好ましくない。
【０１０８】
＜保護用シートの構成材料＞
保護用シートは遮蔽性の高いシートで構成される。例えば、厚さ１５〜６０μｍのポリエチレン、ポリプロピレン、ポリエステル、ポリビニルアルコール（ＰＶＡ）、ポリ乳酸、ポリブチレンサクシネート、不織布、紙、及びこれらのラミネート材料が挙げられ、これらの材料に抗菌処理されていてもよい。また、保護用シートは、パルプの目付を１０〜２５ｇ／ｍ２、厚みを０．０５〜０．２ｍｍに調整したティッシュにＰＶＡを１０〜３０μｍにラミネート加工されたものが挙げられる。具体的には、２５ｇ／ｍ２のポリエチレンフィルムが挙げられる。より好ましくは、保護用シートは水洗性の材料で構成される。保護用シートに水洗性を付与するためには、構成材料を生分解性素材・水溶性素材・水分散性素材で構成する。これにより、使用済み陰唇間パッドを取り外し、廃棄用シートを利用して廃棄操作を行う間に、保護用シートで覆われた未使用の陰唇間パッドを一時的に仮置きする際に、陰唇間パッドの陰唇内面と接する面がゴミや、埃、細菌等と接しないため、二次感染を予防することができる。
【０１０９】
なお、「生分解性」とは、放線菌をはじめとする細菌、その他の微生物の存在下、自然界のプロセスに従って、嫌気性又は好気性条件下で物質が二酸化炭素又はメタン等のガス、水及びバイオマスに分解されることをいい、当該物質の生分解能（生分解速度、生分解度など）が、落ち葉等の自然に生じる材料、もしくは同一環境下で生分解性として一般に認識される合成ポリマーに匹敵することをいう。「水分散性」とは、水解性と同じ意味であって、使用時の限定された量の水分（経血）では影響はないものの、多量の水又は水流中では、繊維同士が、少なくとも一般のトイレ配管を詰まらせることがない程度の小断片に容易に分散される性質のことをいう。「水溶性」とは、使用時の限定された量の水分（経血）では影響はないものの、多量の水又は水流中においては溶解する性質のことをいう。
【０１１０】
＜廃棄用シートの構成材料＞
廃棄用シートは液遮断性の高い材料で構成される。これにより、使用済み陰唇間パッドに付着、吸収された経血が廃棄用シートから滲み出さず、着用者の手を汚すことなく、使用済み陰唇間パッドを廃棄用シートに包んで廃棄をすることが可能である。
【０１１１】
＜粘着材料＞
粘着材料は、ホットメルトを５〜１００ｇ／ｍ２の範囲で塗布することで形成される。粘着材料の塗布パターンは、ドット、線、波状、螺旋状等から選択できる。好ましくは、ドットの直径が１〜３ｍｍ径で、面積率が保護用シートの片面の３０〜７０％である。これにより、内包装体を壁、ペーパーホルダーに貼り付けて仮固定する時には、傾いたり、衝撃を受けて陰唇間パッドが落ちることなく、仮置きした場所から取り外す時には容易に取り外すことが可能になる。
【０１１２】
粘着材料を塗布する領域は、保護用シートの陰唇間パッドと接しない側の面は、第１面と第２面とを有し、その両方の面、または片方の面に粘着材料が塗布される。粘着材料は、保護用シートの両面に、少なくとも２０ｍｍ角は粘着材料が塗布されていない領域が設けられる。これにより、着用者が陰唇間パッドを覆う保護用シートを掴むための領域（親指、人指し指が触れる部分）が確保され、保護用シートを掴んで、仮置きしたり、陰唇間パッドを保護用シートから取り出す際に、手に保護用シートの粘着材料がついてしまい、操作しにくくなるのを防止できる。
【０１１３】
粘着材料は、壁、ペーパーホルダー等に貼り付けられる粘着性を必要とする。例えば、スチレン−イソプレン−スチレンブロック−共重合体（ＳＩＳ）、スチレン−ブタジエン−スチレンブロック共重合体（ＳＢＳ）、スチレン−エチレン・ブタジエン−スチレンブロック共重合体（ＳＥＢＳ）、スチレン−エチレン・プロピレン−スチレンブロック共重合体（ＳＥＰＳ）のような合成ゴム樹脂を主たる成分とし、そこにテルペン樹脂、ロジン樹脂などの粘着付与剤とワックス等の可塑剤を溶融混合することによって得られる。具体的には、ＳＥＢＳを１５〜２５％、可塑剤を１５〜３５％、粘着付与剤を４０〜７０％で溶融混合したものが挙げられる。この感圧型ホットメルトについては、酸化防止剤、蛍光防止剤などを０．１〜１．０％の範囲で添加しても良い。
【０１１４】
＜止着テープ＞
止着テ−プは、フィルム層の片面に粘着剤が塗布されたもの、または水洗性を考慮した場合はティッシュの片側に粘着剤を塗布したもの等公知のものを使用することができ、限定されるものではない。
【０１１５】
＜仮止め部＞
仮止め部は、保護用シートに剥離処理を行う、あるいは剥離処理した材料を貼り付けることにより、内包装体を傷つけない程度の剥離性を有する。剥離処理する材料は、薄葉紙、不織布、ラミネート紙、フィルムから選択できる。剥離剤成分としては、シリコーン樹脂系、フッ素樹脂系、オクタデシルイソシアネート系が好ましい。具体的には、薄葉紙にシリコーン樹脂をコートしたシートが挙げられる。剥離材料を保護用シートに貼り付けるのには、保護用シート側面に剥離処理を施した面、廃棄用シート側を剥離処理を施していない面を向けて配置し、粘着材料と同様の材料で貼り付ける。
【０１１６】
＜破断線の構造、強度及び開始位置＞
破断線の構造は、切り裂き部と非切り裂き部とが交互に配置されているミシン目のようなものが挙げられる。切り裂き部を長さ０．５〜５ｍｍ、幅を最大３ｍｍの範囲とし、非切り裂き部を長さ０．５〜３ｍｍとするのが好ましい。また、破断線の破断強度は、引張条件を２５ｍｍ幅、１００ｍｍ／分として、破断線を中央に配置して破断線と直交する方向に引っ張った時に、０．２〜３．０Ｎ／２５ｍｍとするのが好ましく、より好適には０．３〜１．５Ｎ／２５ｍｍとするのが好ましい。さらに、破断線の開始位置は、着用者に破断線が視覚的に把握しやすいように、矢印をプリントしたり、破断線の開始部近傍を終了部とは異なるカット（例えば端部を丸くする等）を施すことができる。
【０１１７】
Ｃ．個包装体を保護するための外包装容器及び中間包装容器
［第１３実施形態］
図３４は、本発明の第１３実施形態に係る外包装容器６００Ａの斜視図を示す。図３５は、本発明の第１３実施形態に係る外包装容器６００Ａの側面部６２０Ａを組み立てる過程を示す。図３６は、本発明の第１３実施形態に係る外包装容器６００Ａの蓋部６１２Ａを開封した図を示す。図３７は、本発明の第１３実施形態に係る中間包装容器６５０の斜視図を示す。図３８は、本発明の第１３実施形態に係る中間包装容器６５０の内部に封入された補強シートを封入した例を示した斜視図である。図３９は、本発明の第１３実施形態に係る外包装容器６００Ａから個包装体６０１を取り出すまでの過程を示す。
【０１１８】
図３４に示すように、外包装容器６００Ａは、上面部６１０Ａと、下面部６４０Ａと、側面部６２０Ａと、正面部６３０Ａと、を備えている。また、外包装容器６００Ａは、上面部６１０Ａの一方の角部から正面部６３０Ａを通って、上面部６１０Ａの他方の角部に延びる切り込み６１４Ａを有している。この切り込み６１４Ａにより、図３４に示すように、正面部６３０Ａ及び上面部６１０Ａに開閉可能な蓋部６１２Ａが設けられている。さらに、蓋部６１２Ａの正面部６３０Ａ側の先端は、開封部６３２Ａとされている。
【０１１９】
切り込み６１４Ａは、開封した時にミシン目のようなギザギザが残る切り口とならないように、いわゆるハーフカットなる切断方法で、上面部６１０Ａの一方の角部から正面部６３０Ａを通って、上面部６１０Ａの他方の角部に延びるように設けられている。そして、ハーフカットという切断方法により、蓋部６１２Ａの開封箇所は、接着剤を用いることなく外包装容器６００Ａと結合している。
【０１２０】
図３５に示すように、外包装容器６００Ａの側面部６２０Ａは、上端片６２２Ａと、側端片６２４Ａと、下端片６２６Ａと、を備えている。
【０１２１】
まず、図４３Ａに、従来の外包装容器６００Ｃの側面部６２０Ｃを組み立てる場合の図を示す。まず、図４３Ａに示すように、側端片６２４Ｃを内側に折り畳む。つぎに、図４３Ｂに示すように、側端片６２４Ｃに重なるように、下端片６２６Ｃを内側に折り畳む。続いて、接着剤６２８Ｃを下端片６２６Ｃの上に塗布する。最後に、図４３Ｃに示すように、下端片６２６Ｃの上に塗布された接着剤６２８Ｃに重なるように、上端片６２２Ｃを内側に折り畳む。以上のように組み立てられた外包装容器６００Ｃの側面部６２０Ｃは、図４３Ｄに示すように、側端片６２４Ｃと下端片６２６Ｃとの間に接着剤が塗布されていないため、隙間ｘを生じやすいという問題点を有していた。隙間ｘを生じることにより、外包装容器６００Ｃの強度が損なわれ、かつ、外包装容器６００Ｃ内部に埃やゴミが入るおそれがあった。
【０１２２】
そこで、本実施形態における外包装容器６００Ａの側面部６２０Ａの組み立て方を、図３５に示す。まず、図３５Ａに示すような外包装容器６００Ａの側端片６２４Ａを、図３５Ｂに示すように内側に折り畳み、それから折り畳んだ側端片６２４Ａに重なるように、下端片６２６Ａを内側に折り畳む。このとき、２つの側端片６２４Ａのいずれにも接着剤６２８Ａが塗布できるように、本実施形態における下端片６２６Ａは、下端片６２６Ａが露出するように、台形状に切断加工されている。次に、図３５Ｃに示すように、接着剤６２８Ａを下端片６２６Ａの上に塗布する。最後に、下端片６２６Ａの上に塗布された接着剤６２８Ａに重なるように、上端片６２２Ａを内側に折り畳む。以上の工程により組み立てられた外包装容器６００Ａの側面部６２０Ａは、側端片６２４Ａと上端片６２２Ａとの間が、接着剤で接着されるため、隙間が生じることを防止できる。これにより、外包装容器６００Ｃ内部に埃やゴミの侵入を防ぎ、かつ、外包装容器６００Ａの上下からの圧力に対する強度を高めることができる。
【０１２３】
本実施形態においては、図３６に示すように、外包装容器６００Ａの開封部６３２Ａにより蓋部６１２Ａを開けると、一つの中間包装容器６５０と使用説明書６６０とが収納されている。なお、本実施形態のように使用説明書６６０は、蓋部６１２Ａを開けたとき、必ず開封者に見える位置に収納されることが好ましい。これにより、着用者は、確実に説明書を見ることができる。また、外包装容器６００Ａと、外包装容器６００Ａに収納された中間包装容器６５０と、の間には、空隙を形成するように収納されている。これにより、外包装容器６００Ａに外圧が加わっても、外包装容器６００Ａが変形することによって外圧を緩衝できるので、中間包装容器６５０が潰れることを防ぐことができる。
【０１２４】
中間包装容器６５０は、図３７に示すように、個包装体６０１を封入している。中間包装容器６５０は完全密封されているので、空気が充填されていることが好ましい。これにより、着用者が中間包装容器６５０を誤って落としてしまっても、中間包装容器６５０中の空気によってその衝撃を緩衝できるので、個包装体６０１中の陰唇間パッド、特に陰唇間パッドの周縁部にその衝撃を伝えることを防止できる。したがって、着用者が中間包装容器６５０を誤って落としてしまっても、着用感に悪影響を及ぼすことなく個包装体６０１中の陰唇間パッドを着用することができる。また、中間包装容器６５０は、中間包装容器６５０を開封するための切り込み部６５２を有する。これにより、中間包装容器６５０は、人の手で簡単に開封することができる。
【０１２５】
なお、中間包装容器６５０に封入されている個包装体６０１の数は、１２個入りがより好ましいが、２個以上封入されていれば良く、特に制限されるものではない。
【０１２６】
また、中間包装容器６５０は、非通気材料で構成されることを特徴とする。これにより、中間包装容器６５０の外部から内部へ湿気が入り込み難くなり、中間包装容器６５０内部の湿度は外部の環境変化に依らず、ほぼ安定した範囲の湿度を得ることができる。さらに、非通気材料で構成された中間包装容器６５０で個包装体６０１を覆うことにより、小セルロース系などの吸水性素材を主体として構成されている個包装体６０１中の陰唇間パッドが着用前に湿気を帯びて本来の吸収性能を発揮できないことや、陰唇間パッド自体の剛性、特に周縁部の剛性が極端に低下してしまうことを防止することができる。したがって、中間包装容器６５０内部の湿度はほぼ安定しているので、天候変化や着用者が誤って複数の個包装体６０１が封入された中間包装容器６５０をトイレに落としてしまっても、個包装体６０１中の陰唇間パッド、特にはその周縁部の剛性への影響を与え難く、個包装体６０１中の陰唇間パッドの性能が安定した状態で着用者へ提供できる。
【０１２７】
なお、中間包装容器６５０は、図３８に示すように、中間包装容器６５０の内部に封入された個包装体６０１の少なくとも一部を保護するために、補強シート６５４が設けられていてもよい。補強シート６５４は、中間包装容器６５０の内部もしくは外部に、複数の個包装体６０１の少なくとも一部を保護するために設けられていることが好ましい。具体的には、中間包装容器６５０の内部に補強シート６５４が設けられている場合には、補強シート６５４は、複数の個包装体６０１の下面を覆うように備えられていたり、個包装体６０１の少なくとも一面を跨ぐように備えられていたり、または開封可能な領域を備えて個包装体６０１の全面を覆うように備えられているものが挙げられる。また、中間包装容器６５０の外部に補強シート６５４が設けられている場合には、接着剤を介して、中間包装容器６５０に接合されて備えられているものが挙げられる。
【０１２８】
補強シート６５４は、複数枚であっても、一枚のシートが折り畳まれて備えられてあっても良い。補強シート６５４の素材としては、紙や厚紙、プラスチック、ポリエチレン、ポリプロピレン、ポリエチレンテレフタレート、ポリ乳酸、ポリブチルサクシネート、又は不織布や紙、それらにラミネート加工した材料が挙げられる。また、補強シート６５４には、陰唇間パッドの使い方を示したインキなどが印刷されていても良い。具体的には、会社名やブランドなどがインキなどで印刷されている。また、中間包装容器６５０中の陰唇間パッド自体を見え難くするために、顔料を０．２〜１０％の範囲で混合するか、あるいは、インキなどで印刷されていても良い。さらに、補強シート６５４は、個包装体６０１の開け方を示したインキなどが印刷されたり、中間包装容器６５０中の陰唇間パッドの使い方を示したインキなどが印刷されていても良い。
【０１２９】
図３９に、本実施形態における外包装容器６００Ａから個包装体６０１中の陰唇間パッドを取り出すまでの過程を示す。まず、図３９Ａに示すように、外包装容器６００Ａの開封部６３２Ａにより蓋部６１２Ａを開けると、図３９Ｂに示すように、中間包装容器６５０と使用説明書６６０とを収納している外包装容器６００Ａの内部を視認することができる。つぎに、図３９Ｃに示すように、外包装容器６００Ａから中間包装容器６５０を取り出す。最後に、中間包装容器６５０に封入されていた個包装体６０１を取り出すことができる。
【０１３０】
［第１４実施形態］
図４０は、本発明の第１４実施形態に係る外包装容器６００Ｂの斜視図を示す。図４１は、本発明の第１４実施形態に係る外包装容器６００Ｂの蓋部６１２Ｂを開封した図を示す。
【０１３１】
本実施形態において、図４０に示すように、外包装容器６００Ｂが、上面部６１０Ｂの中程から正面部６３０Ｂを通って、切り込み６１４Ｂが上面部６１０Ｂの他方の中程に延び、折り目を有している点が、第１３実施形態と異なる。また、図４１に示すように、外包装容器６００Ｂ内に、二つの中間包装容器６５０を収納している点が、第１３実施形態と異なる。
【０１３２】
なお、外包装容器６００Ｂ内に収納されている中間包装容器６５０の数は、１個入りあるいは２個入りがより好ましいが、一つ以上封入されていれば良く、特に制限されるものではない。
【０１３３】
＜外包装容器の寸法＞
外包装容器の寸法は、少なくとも複数の個包装体全体の体積、またはそれを包んだ中間包装容器の体積よりも、外包装容器の体積は大きくなるようなものとなっている。具体的には、外包装容器の長さは、複数の個包装体全体の長さ、もしくはそれを包んだ中間包装容器の長さよりも０〜８０ｍｍ、好ましくは０〜４０ｍｍ大きい。また、外包装容器の幅は、複数の個包装体全体の幅、もしくはそれを包んだ中間包装容器の幅よりも０〜８０ｍｍ、好ましくは０〜４０ｍｍ大きい。さらに、外包装容器の高さは複数の個包装体全体の高さ、もしくはそれを包んだ中間包装容器の高さよりも０〜８０ｍｍ、好ましくは０〜４０ｍｍ大きい。
【０１３４】
＜外包装容器の材質＞
外包装容器の材質として、紙やプラスチック、紙にラミネート加工した材料、もしくは紙にアルミ蒸着させた材料が挙げられる。
【０１３５】
＜中間包装容器の寸法＞
中間包装容器の寸法は、少なくとも複数の個包装体全体の体積よりも、中間包装容器内部の体積が大きくなるようなものとなっている。具体的に、中間包装容器の長さは複数の個包装体全体の長さよりも０〜８０ｍｍ、好ましくは０〜４０ｍｍ大きい。また、中間包装容器の幅は複数の個包装体全体の幅よりも０〜８０ｍｍ、好ましくは０〜４０ｍｍ大きい。さらに、中間包装容器の高さは複数の個包装体全体の高さよりも０〜８０ｍｍ、好ましくは０〜４０ｍｍ大きい。ここで、中間包装容器内の空気の充填率は、５〜６０％の範囲、好ましくは２０〜４０％の範囲である。より具体的に示すと、個包装体全体が長さ１３５ｍｍ、幅８５ｍｍ、高さ３５ｍｍの時、中間包装容器の長さは１８５ｍｍ、幅は１２０ｍｍ、高さは５０ｍｍである。この時の空気の充填率は３６％である。
【０１３６】
＜中間包装容器の材質＞
中間包装容器の材質は、透湿性材料でなければ特に制限なく使用できる。例えば、厚さ１５〜８０μｍのポリエチレン、ポリプロピレン、ポリエチレンテレフタレート、ポリ乳酸、ポリブチルサクシネート、又は不織布や紙にラミネート加工した材料、もしくはそれらの材料にアルミ蒸着させた材料が挙げられる。具体的には、高密度ポリエチレン（ＨＤＰＥ）樹脂を主に用い、目付３０〜６０ｇ／ｍ２で調整したフィルムが挙げられる。また、樹脂配向を高めるために延伸加工を施す、エンボス加工を施すことによって剛性を高めたフィルムであっても良い。
【０１３７】
本発明は、陰唇間パッドの周縁部の変形・破損を防止できる個別包装容器として使用することができる。
【図１】
0004818728.tif 000002
【図２】
0004818728.tif 000003
【図３】
0004818728.tif 000004
【図４】
0004818728.tif 000005
【図５】
0004818728.tif 000006
【図６】
0004818728.tif 000007
【図７】
0004818728.tif 000008
【図８】
0004818728.tif 000009
【図９】
0004818728.tif 000010
【図１０】
0004818728.tif 000011
【図１１】
0004818728.tif 000012
【図１２】
0004818728.tif 000013
【図１３】
0004818728.tif 000014
【図１４】
0004818728.tif 000015
【図１５】
0004818728.tif 000016
【図１６】
0004818728.tif 000017
【図１７】
0004818728.tif 000018
【図１８Ａ】
0004818728.tif 000019
【図１８Ｂ】
0004818728.tif 000020
【図１８Ｃ】
0004818728.tif 000021
【図１８Ｄ】
0004818728.tif 000022
【図１９Ａ】
0004818728.tif 000023
【図１９Ｂ】
0004818728.tif 000024
【図２０Ａ】
0004818728.tif 000025
【図２０Ｂ】
0004818728.tif 000026
【図２０Ｃ】
0004818728.tif 000027
【図２１Ａ】
0004818728.tif 000028
【図２１Ｂ】
0004818728.tif 000029
【図２２】
0004818728.tif 000030
【図２３Ａ】
0004818728.tif 000031
【図２３Ｂ】
0004818728.tif 000032
【図２３Ｃ】
0004818728.tif 000033
【図２４】
0004818728.tif 000034
【図２５】
0004818728.tif 000035
【図２６】
0004818728.tif 000036
【図２７】
0004818728.tif 000037
【図２８】
0004818728.tif 000038
【図２９Ａ】
0004818728.tif 000039
【図２９Ｂ】
0004818728.tif 000040
【図２９Ｃ】
0004818728.tif 000041
【図２９Ｄ】
0004818728.tif 000042
【図２９Ｅ】
0004818728.tif 000043
【図３０】
0004818728.tif 000044
【図３１Ａ】
0004818728.tif 000045
【図３１Ｂ】
0004818728.tif 000046
【図３１Ｃ】
0004818728.tif 000047
【図３１Ｄ】
0004818728.tif 000048
【図３２】
0004818728.tif 000049
【図３３Ａ】
0004818728.tif 000050
【図３３Ｂ】
0004818728.tif 000051
【図３３Ｃ】
0004818728.tif 000052
【図３３Ｄ】
0004818728.tif 000053
【図３４】
0004818728.tif 000054
【図３５Ａ】
0004818728.tif 000055
【図３５Ｂ】
0004818728.tif 000056
【図３５Ｃ】
0004818728.tif 000057
【図３６】
0004818728.tif 000058
【図３７】
0004818728.tif 000059
【図３８】
0004818728.tif 000060
【図３９Ａ】
0004818728.tif 000061
【図３９Ｂ】
0004818728.tif 000062
【図３９Ｃ】
0004818728.tif 000063
【図３９Ｄ】
0004818728.tif 000064
【図４０】
0004818728.tif 000065
【図４１】
0004818728.tif 000066
【図４２】
0004818728.tif 000067
【図４３Ａ】
0004818728.tif 000068
【図４３Ｂ】
0004818728.tif 000069
【図４３Ｃ】
0004818728.tif 000070
【図４３Ｄ】
0004818728.tif 000071